(57)【要約】      （修正有）【課題】ピッキング動作を合理化するメカニズムのギターを提供する。【解決手段】ギター弦上空に鳴らしたい弦かどうかの確認用の弦を張る。弦を押さえると確認用の弦も押され確認用の弦はネック側に微量移動し、サウンドホール付近で接合されているバネが伸びる事で確認用の弦に接合されたピック部材が下がる。この時鳴らしたい弦のピック部材だけが弦の高さまで下がっているので、ギター弦直角方向に動かせる梁を手や足でシーソー構造により動かすことでその梁に付いた突起がピック部材を押しピック部材の支持軸への接続形状が軸断面よりなるいためギター弦直角方向にも回転代が存在し、音を鳴らすことができる。【選択図】図２
2013182272.tif 000002
【特許請求の範囲】
【請求項１】
鳴らしたい弦かどうかを確認する弦を、ギターの弦を押さえると確認用の弦も押されるように配置し、ヘッドを片側の端とし途中軸によって向きを変えながら、フィンガーボード側サウンドホール端にある強いバネとの連結、ホール上部にあるピック部材と連結、そして側板の外面に接合され表板よりも上に出ている板からの梁に設置された弱いバネと連結されて、弦を押さえるか確認用の弦だけを引っ張る開放弦の音を使用するためのキィによって、ピック部材下端を弦の高さまで下げることができるようにし、その状態でギター弦直角方向に動かすことができる立ち上げた側板を貫通し各弦のピック部材に対して突起によりピック部材の動きを制御できる梁をシーソー構造で手や足により動かすことで、鳴らしたい弦だけがはじかれるようにしたギター。
【発明の詳細な説明】
【技術分野】
【０００１】  本発明は、ピッキング動作を合理化し高度な演奏を可能にしたギターに関する。
【背景技術】
【０００２】  従来のギターは、左手で鳴らしたい音だけをポジションを押さえ、右手で全弦をストロークしたり出したい音の弦だけをピッキングしたりすることで演奏するつくりになっている。
【先行技術文献】
【０００３】従来ギターはこのように演奏するつくりになっている。
【発明の概要】
【発明が解決しようとする課題】
【０００４】上で述べた従来のギターは、合理的でないピッキングの動作から生じる次のような演奏上の制限が存在した。１ピッキングは鳴らしたい弦だけを選ばないといけないことの困難さ、２同時に特定の複数弦を鳴らす時に困難、３鳴らせる音は左手のポジションの動作範囲内のみ、４全弦をストロークしても同時には発音されない。【０００５】本発明は、このような従来のギターのつくりによる演奏上の問題を解決しようとするものであり、ピッキングにメカニズムを導入してピッキング動作を合理化し、高度な演奏を可能とすることを目的とするものである。
【課題を解決するための手段】
【０００６】本発明は上記目的を達成するためにギターの弦上空に鳴らしたい音の弦なのかを確認するための弦を張る。説明の都合上この「確認するための弦」を以降「確認弦」と呼ぶことにする。確認弦はギターの弦を押さえるときに違和感なく同時に押さえる事ができるギターの弦に近い高さで、かつギター弦が振動したときに干渉しない高さでギター弦毎に張る。確認弦の片方の端部はヘッドに固定されている。ナットを通りフィンガーボード端でサウンドホールに入った位置にある軸を通り後述するバネに接続して２つめの軸を通り上空へ向かいブリッジ側のサウンドホール端辺りの軸で今度は下へ向かい後述のピック部材に接続しギター側板の外側にさらに張った板で表板よりも上にまだ出ている板からの梁に設置されたバネに接続されている。説明の都合上先の文中の「表板よりも上に出している板」を以降「立ち上げ板」と呼ぶことにする。また文中の「側面の板の外側にさらに張った板で表板よりも上に出している板からの梁」を以降「ピック支持梁」と呼ぶことにする。立ち上げ板はギターの側板なりに曲げた板で、サウンドホール端のフィンガーボードが始まる位置から、サウンドホールのブリッジ側端とブリッジの中間の辺りまで張られ、表板より上部への立ち上げ部分には補強のため、必要に応じ補剛材を音質への配慮から表板に接しない高さで立ち上げ板の内側に取り付ける。立ち上げ板は先のピック支持梁と連結している他、サウンドホールのネック側の上部にある梁を支持している。説明の都合上この「サウンドホールのネック側の上部にある梁」を以降「一次連結梁」と呼ぶことにする。立ち上げ板には立ち上げ部の中央付近でややブリッジ側の位置に穴が明けてありその中にストローク動作を行う梁が貫通している。説明の都合上この「ストローク動作を行う梁」を以降「動作梁」と呼ぶことにする。確認弦がサウンドホール付近で通る２つの軸は一次連結梁から張り出したブラケットによって支持されている。一次連結梁部分のこれらの軸は２つめの軸は１つめの軸よりも高い位置にある。１つめの軸の下を通った確認弦はまず、一次連結梁に設置された強いバネに連結した後、向きを反転し今度はネック側へ２つめの軸の下を通ってからブリッジ側の上空へと向かう。一次連結梁に設置された強力なバネはピック支持梁のバネよりも強力なものを使用し、一次連結梁からネック側に向かって取り付けてある。ブリッジ側のホール上空にある第３の軸はピック支持梁のネック側の下部にあたる位置にあり、その部分のピック支持梁は下側を欠いて第３の軸が取り付けてある。第３の軸の上側を通ったあと向きを下方向に変えた確認弦は、ピック部材のピックを支持している軸より僅か下の位置に接合した後、ピック支持梁のバネに接続する。ピックを支持している軸もピック支持梁に接続していて、この部分もピック支持梁の下側を欠いてある。ピック部材はピック支持の軸から斜め下にホール中心方向へ向けて取り付けられてあり、各弦のピック部材はピック支持の軸のまわりを回転するように動くことができる。またピック部材のピックの支持軸との接続断面が円よりもなるい形状になっているため、ギター弦直角方向にも回転代が存在する。ホールブリッジ側上空で第２軸から第３軸へ向かう確認弦の下に位置する動作梁は各ピック部材の腹を挟む位置関係で突起を設けてある。動作梁はギター弦直角方向に移動可能で、移動の向きを補助するため一次連結梁から変位制限用に片持ち梁が張り出してある。動作梁の動力は右手か足によって上下運動するシーソー状のペダルの片側と接続し上下運動させることで行う。確認弦のヘッド付近に確認弦だけを押すためのレバーが取り付けてある。説明の都合上この「確認弦だけを押すためのキィ」を以降「開放弦キィ」と呼ぶことにする。開放弦キィは確認弦と接合されギター弦と触れない方向に確認弦を引っ張り、バネが取り付けられておりキィを操作しなければ開放弦キィは元の位置に戻るようになっている。【０００７】この課題解決手段による作用は次の通りである。フィンガーボード上ギター弦を押さえると、同時に確認弦も押される。確認弦が押されると一次連結梁に設置された強力なバネを伸ばし、同時にピック支持梁のバネを縮める。この時ピック部材はピック支持用の軸のまわりを弦に近づく方向に回転する。確認弦の押されかたはそのままピック部材下端の高さに影響する。指をフィンガーボードに接する面積が多くなるように押さえればピック下端はより下がり、指をフィンガーボードにあまり接しないように押さえればピック下端の位置はそれよりも高くなる。これにより鳴らしたい弦の音量を決めることが出来る。また、開放弦を鳴らしたいときは開放弦キィを押すことで同様の過程を経てピック部材が弦の高さまで下がる。これで鳴らしたい弦だけがピッキングできる状態になったわけである。ここで足や右手などによってシーソー構造で動作梁をギター弦直角方向に動かせば動作梁の突起によりピック部材がピック部材のピック支持用軸部の回転代を使用してギター弦直角方向に移動し、弦をはじくことができる。確認弦や開放弦用レバーは押さえるのを離せばピック部材の下端は弦よりも高い位置に戻る。これは一次連結梁のバネの方がピック支持梁のバネよりも強いため、フィンガーボードから手を離すと、伸ばされていた一次連結梁のバネが縮みピック部材を上方へ回転させるように確認弦が移動するためである。
【発明の効果】
【０００８】上述したように、本発明のギターは鳴らしたい弦を選んでピッキングしなくても鳴らしたい弦のポジションを押さえるだけで、簡単なストローク動作により鳴らしたい弦のみが自動的に選択されピッキングされる。ピッキングは各弦ほぼ同時に行うことができ、もしストロークを足踏みで行うことを演奏者が選択すれば、左手では押さえられなかったポジションを右手で押さえることもできる。ポジションを強く押さえるか弱く押さえるかは、そのままその弦のピッキングの強さに影響するため直感的な演奏が可能で、さらにストローク動作が平易なため、細かい同音連打や早いパッセージのピッキングも確実に行うことができる。総じてより高度な演奏を可能とするものである。
【図面の簡単な説明】
【０００９】
【図１】平面図。  フィンガーボード、確認弦は図から省略。確認弦は各弦に添って張られています。
【図２】図１のＡ−Ａ断面  側面図  図中のピック部材は２つある分けではなく動作の様子の説明のために書いてあります。
【図３】シーソー式のペダル
【図４】図１のＢ−Ｂ断面  立ち上げ板の側面図
【図５】図１のＣ−Ｃ断面  （ボディの立て線は立ち上げ板の側面を書いています）
【図６】弦長６３０弦ギターでの実施寸法例  確認弦の第１軸までの部分  平面図と側面図  いろいろ省略しています  尚紙面の都合上横書きになっています
【図７】弦長６３０弦ギターでの実施寸法例  平面図と側面図  ピッキングメカニズム部分
【発明を実施するための形態】
【００１０】側板の外側に立ち上げ板を重ねて接合する。立ち上げ板の両端はテーパ加工する。立ち上げ板には必要に応じて補剛材を配置。一次連結梁とピック支持梁は立ち上げ板と接合。立ち上げ板を貫通して動作梁を設置。動作梁と立ち上げ板は連結しない。動作梁の動きを制限するため一次連結梁から変位制限用の片持ち梁を出している（図面省略、両サイドに設けるとして最低２ヵ所設置）。ピック支持梁にピック支持用の軸と第３の軸が連結。（図１ではピック支持用の軸も見えるように書いているが、純粋に上からの図面が観たいときは図７の実施例平面図を参照のこと。）動作梁には各弦に対応するピック部材に対して突起が設けられている。一次連結梁からはホールの両サイドにブラケットを張り出しており第１軸と第２軸を支持している。図１
【００１１】確認弦は第１軸の下を通った後、一次連結梁に設置されたバネに連結され、その後方向を変え第２軸の下を通って上方へと向きを変える。第３軸で再び下方向に向きを変え、ピック部材のピック部材支持用の軸より僅かに下の位置に連結。さらにその先ピック支持梁に設置されたバネと接合される。一次連結梁のバネはピック支持梁のバネよりも強力なものを使用する。ピック部材の腹に向けて動作梁からの突起が下方に突き出している。ピック部材とピック部材を支持している軸との取り合い形状はピック部材の形状を軸よりもなるい形状とし、ギター弦直角方向に軸との接続部が移動してしまわないように軸の上側でピック部材の両側にズレ止めをつけてある（図面省略）。図２
【００１２】ストローク部の往復運動の動力はシーソー運動をするペダルによる。このペダルは手または足などにより操作される。ペダルの片側は動作梁と接続されることで、動作梁をギター弦直角方向に移動させる。図３
【００１３】立ち上げ板はギターの側板に沿って張られ、表板よりも高い位置まで出ている。立ち上げ板には必要に応じ補剛材を取付け、一次連結梁やピック支持梁と連結している。中央に穴が明けられ動作梁が貫通している。取付部材はギターの表板に触れない配置とする。図４
【００１４】ギター各弦上空をブリッジ側へ順に一次連結梁、動作梁、ピック支持梁が横切っている。一次連結梁からは第１軸と第２軸を支持するブラケットが張り出している。図５
【００１５】弦長６３０のギターで弦高が３．５ｍｍで弦上よりも高さクリアー２ｍｍ上空に確認用弦を張った場合の寸法実例。この時、弦の中央付近で弦を押さえると、確認用弦は約０．２ｍｍだけ一次連結梁のバネを引っ張る。図６
【００１６】その時のピッキングメカニズムの挙動のモデル。ホール端から１０ｍｍの位置に第１軸をとっている。第３軸、ピック部材の支持軸を図の寸法の通りとし、ピック材と確認弦との連結位置をピック部材の支持軸から２．５ｍｍにとれば、一次連結梁のバネの伸び０．２ｍｍによって当初ギター弦の芯の高さにあったピック部材下端の位置が弦上３．１ｍｍの位置まで持ち上がるのが確認できる。これは十分な寸法である。ピック材の確認弦による上昇する高さはピック支持梁の高さやピック部材の設置角度により変わる。図７
【符号の説明】
【００１７】複雑な機械ではないので図面に直接名称を記入しています。
【図１】
2013182272.tif 000003
【図２】
2013182272.tif 000004
【図３】
2013182272.tif 000005
【図４】
2013182272.tif 000006
【図５】
2013182272.tif 000007
【図６】
2013182272.tif 000008
【図７】
2013182272.tif 000009